(57)【要約】【課題】熱変色インクを変色可能な摩擦体を使用する際に、摩擦体を覆う部材の紛失を防止し、外観が損なうおそれを回避する。【解決手段】  軸筒内部に熱変色インクを充填したボールペン筆記体８を収容した熱変色筆記具において、軸筒は先軸１と後軸２とからなり、後軸２の後部にはノック部材３を備えたノック機構を設け、先軸１の後端側には熱変色インクを変色可能な摩擦体９を備え、摩擦体９を覆う部材である後軸２内部に前記摩擦体９を配置可能であることを特徴とする熱変色筆記具とした。【選択図】  図１
2016088069.tif 000002
【特許請求の範囲】
【請求項１】
軸筒内部に熱変色インクを充填した筆記体を収容した熱変色筆記具において、軸筒は先軸と後軸とからなり、後軸の後部には筆記体を移動可能なノック部材を備えたノック機構を設け、先軸の後端側には熱変色インクを変色可能な摩擦体を備え、後軸内部に前記摩擦体を配置可能であることを特徴とする熱変色筆記具。
【請求項２】
先軸における後軸との嵌合部に切欠部を設けると共に、ノック部材もしくはノック部材と連動する筆記体にノックによる前進時のみ上記先軸の切欠部に嵌合する凸部を設けたことを特徴とする請求項１記載の熱変色筆記具。
【発明の詳細な説明】
【技術分野】
【０００１】
本発明は、軸筒内部に摩擦部である摩擦体を収容した熱変色筆記具に関する。
【背景技術】
【０００２】
従来、カム溝と出没棒と回転カム部材よりなる出没機構部を備えて、出没棒の前後動に連動して回転カム部材が進退位置に位置決めされて熱変色インクを収容する筆記体の先端が軸先から出没し、筆記具の後端外面に露出した熱変色インクを摩擦して変色させる摩擦体を備えたものが知られている（特許文献１）。さらに、外面に露出した摩擦体の汚れを防ぐ為に保護部材を摩擦体の外周に覆うものも知られている（特許文献２）
【先行技術文献】
【特許文献】
【０００３】
【特許文献１】国際公開第２００８／１０５２２７号
【特許文献２】特開２０１４−１２４８１０
【発明の概要】
【発明が解決しようとする課題】
【０００４】
然しながら、特許文献２に開示のものは、保護部材を外して摩擦体を使用する際に筆記具から保護部材が離間するため、保護部材が筆記具に比較して相当小さい部品であることから紛失してしまい結果として筆記具の外観を損ねてしまうおそれがある。そこで、本発明の目的は前記の不具合を解決することにある。
【課題を解決するための手段】
【０００５】
上記課題を達成するために案出された本発明の筆記具は、軸筒内部に熱変色インクを充填した筆記体を収容した熱変色筆記具において、軸筒は先軸と後軸とからなり、後軸の後部には筆記体を移動可能なノック部材を備えたノック機構を設け、先軸の後端側には熱変色インクを変色可能な摩擦体を備え、後軸内部に前記摩擦体を配置可能としたものである。また、先軸における後軸との嵌合部に切欠部を設けると共に、ノック部材もしくはノック部材と連動する筆記体にノックによる前進時のみ上記先軸の切欠部に嵌合する凸部を設けたことを特徴とする。
【発明の効果】
【０００６】
本発明により、保護部材である後軸が筆記具から離れていても紛失することを困難とし、外観を損なう熱変色筆記具であることを防ぐことができる。また、保護部材である後軸を装着した際に筆記可能状態にすることができるため、摩擦体の汚れ、変色を確実に防ぐ熱変色筆記具を提供することができる。
【図面の簡単な説明】
【０００７】
【図１】先軸と後軸が分離した状態を示す側面図である。
【図２】先軸と後軸が嵌合して且つノック状態を示す断面図である。
【図３】図２のＡ−Ａ線断面図である。
【発明を実施するための形態】
【０００８】
図１から図３に示した実施例の熱変色筆記具（ノック機構を備えたボールペン）について説明する。まず軸は先軸１と、これに嵌合する後軸２とによって構成されている。先軸１は後端部に細径の嵌合部４を設けて、その嵌合部４の後端に係止鍔部７を設け、また、係止鍔部７の後端縁から前方へ向って所要長さの切欠部５を設けている。先軸１の内部には筆記体であるボールペン筆記体８が軸方向に移動可能に、且つ、復帰スプリング（図示せず）で後方へ付勢された状態で収納され、ボールペン筆記体８の後端部は先軸１の後端縁より後方へ突出している。このボールペン筆記体８の後端突出部の外面で、前記先軸１の切欠部５と円周方向の位置が一致する箇所に、切欠部５に嵌合可能な形状及び寸法の凸部６を設けている。凸部６はボールペン筆記体８と別部材の構成として、着脱可能としてもよい。尚、切欠部５の後端は凸部６が入りやすいようにテーパー状となっている。また、ボールペン筆記体８の後端には熱変色インクを変色する摩擦部である摩擦体９を嵌着している。
【０００９】
一方、後軸２は内部にノック部材３を落下しないように、且つ、軸方向に所要距離移動できるように装着している。ノック部材３の後端部は後軸２の後端からボールペン筆記体８を繰り出すノックストロークの長さ以上に突出している。後軸２の前端内面部には、前記の先軸１の嵌合部４に嵌合して、且つ先軸１に設けた係止鍔部７と係合する係止突部１０を設けている。後軸２は、先軸１の嵌合部４の弾性変形によって、先軸１に対し着脱自在となっている。ボールペン筆記体８及び摩擦体９の交換は、先軸１から後軸２を外した状態で行う。このような構造とすることで先軸１と後軸２をネジによる螺合のように回転せずに着脱可能であるため速やかな交換が可能となる。
【００１０】
先軸１と後軸２を嵌合したとき、ノック部材３の前端がボールペン筆記体８の後端に当接して、ノック部材３を前方へノックするとボールペン筆記体８も前進して、ボールペン筆記体８の先端の筆記部を先軸１から突出可能に繰り出すことになる。ノック操作によりボールペン筆記体８が前進したときに、ボールペン筆記体８に設けた凸部６が、先軸１における嵌合部４の切欠部５に嵌合する。従って。凸部６の楔作用によって嵌合部４の周方向の弾性変形が規制され、これにより嵌合部４の半径方向の弾性変形も困難となるので、先軸１の係止鍔部７と後軸２の係止突部１０との係合状態が維持されて、ノック時における先軸１からの後軸２の抜けが防止される。ノック操作を終了すると前記の復帰スプリングの力でボールペン筆記体８が後退して凸部６が切欠部５から抜け出すので、先軸１の嵌合部４の弾性変形が可能となって、先軸１から後軸２を外すことが可能となる。
【００１１】
後軸２は摩擦体９の保護部材となっている。保護部材は、摩擦体９が外面に露出するのは筆記体の交換や熱変色インクの変色時に使用するのみであるため、未使用時や筆記時における摩擦体９の汚れ、変色を防ぐ。また、後軸２が筆記具の体積の略半分を占めており視認性に優れていることから先軸１から外した際の紛失を防止し、筆記具の外観が損なうおそれを回避する。後軸２は摩擦体９の視認性の確保と変色を防ぐ為に紫外線吸収剤を含有した半透明の樹脂材料で構成することが望ましい。
【００１２】
ボールペン筆記体８は、内部に熱変色インクを充填し、先端部には筆記ボールが保持されたボールペンチップが装着されている。熱変色性インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。一般的には第２色を無色とし、第１色（例えば赤）で筆記した描線を昇温させて無色とする構成でもよい。従って、描線が筆記された紙面等に対して摩擦体９によって擦過して摩擦熱を生じさせ、それによって描線を無色に変化させる。なお、当然のことながら第２色は、無色以外の有色でもよい。さらに具体的な詳細を説明するとインクに含まれる色材は、（Ａ）電子供与性呈色性有機化合物、（Ｂ）電子受容性化合物、及び（Ｃ）両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。可逆熱変色性マイクロカプセル顔料は、粒子径の平均値が０．１〜５．０μｍ、好ましくは０．５〜２μｍの範囲にあることが好ましい。可逆熱変色性マイクロカプセル顔料は、インキ組成物全量に対し、好ましくは４〜３０重量％配合することが好ましい。なお、平均粒子径の測定は、粒度分布測定装置〔粒子径測定器Ｎ４Ｐｌｕｓ（ＣＯＵＬＴＥＲ社製）〕を用いる。
【００１３】
また、本発明の実施例ではボールペン筆記体８は、熱変色芯を繰り出すシャープペンシル筆記体や熱変色インクを充填したマーキングペン筆記体としてもよい。
【００１４】
摩擦体９は、ボールペン筆記体８の後部に備えられている。摩擦体９はボールペン筆記体８から着脱可能としてもよい。着脱可能とする場合は、安全のため軸方向に貫通孔を形成することが望ましい。
【００１５】
摩擦体９の材質は、紙面等との摩擦動作によって熱変色インクを変色可能とし、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物で構成された低摩耗性のゴム弾性材料が挙げられる。ここで挙げる低摩耗性とは、ＪＩＳ  Ｋ７２０４試験法Ｈ２２でのテーパー摩耗量が１５未満であることを示す。
【符号の説明】
【００１６】
１  先軸
２  後軸
３  ノック部材
４  嵌合部
５  切欠部
６  凸部
７  係止鍔部
８  ボールペン筆記体
９  摩擦体
１０  係止突部
【図１】
2016088069.tif 000003
【図２】
2016088069.tif 000004
【図３】
2016088069.tif 000005